(57)【要約】【課題】半製品の状態で納品され、内部に複数の空間を有する包装容器の組み立て作業時間の短縮を図る。【解決手段】  正面側垂直片１８ａ１と背面側垂直片１８ｂ１とが容器内部の底面中央部において垂直に起立した状態で背中合わせに接触するとともに、側面側垂直片１２の略中央部が垂直に起立した状態で、背中合わせに接触している正面側垂直片１８ａ１及び背面側垂直片１８ｂ１の一端縁部と直交する方向に接触している。すなわち、背中合わせに接触している正面側垂直片１８ａ１及び背面側垂直片１８ｂ１と、側面側垂直片１２とが上方から見て略Ｔ字状に接触することで、容器内部に３つの空間が形成されている。【選択図】  図６
2006168742.tif 000002
【特許請求の範囲】
【請求項１】
正面板と、背面板と、左右の側面板と、底面板と、蓋体となる上面板とを連設してなる折り畳み可能な包装容器において、
前記底面板が、前記正面板の下端縁に折り目を介して連設された正面側底面片及びこの正面側底面片に折り目を介して延設された正面側垂直片と、前記背面板の下端縁に折り目を介して連設された背面側底面片及びこの背面側底面片に折り目を介して延設された背面側垂直片と、前記左右の側面板のそれぞれの下端縁に折り目を介して連設された側面側底面片とに４分割されているとともに、正面側底面片と一方の側面側底面片とが折り目を介して容器内部に折り畳み可能に接合され、背面側底面片と他方の側面側底面片とが折り目を介して容器内部に折り畳み可能に接合されてなり、
前記一つの側面板の上端縁に、該側面板の内面に添設するまで折り曲げられる内面側壁板片、前記底面板と平行に配設される水平底板片、及び前記底面板と垂直に配設される側面側垂直片がそれぞれ折り目を介して順に連設されてなり、
前記正面側垂直片と前記背面側垂直片とが容器内部の底面中央部において垂直に起立した状態で接触するとともに、前記側面側垂直片の略中央部が垂直に起立した状態で前記正面側垂直片及び背面側垂直片の一端縁部と直交する方向に接触することで、容器内部に複数の空間が形成されることを特徴とする包装容器。
【請求項２】
他の一つの側面板の上端縁に、該側面板の内面に添設するまで折り曲げられる折曲板と、前記底面板と平行に配設される水平仕切板とがそれぞれ折り目を介して順に連設されてなり、
前記水平仕切板が、前記正面側垂直片及び背面側垂直片の上端縁部及び前記側面側垂直片の上端縁部に接触するまで容器内部に折り込まれることによって、容器内部に上下に仕切られた空間が形成されることを特徴とする請求項１に記載の包装容器。
【請求項３】
前記正面側垂直片及び背面側垂直片の上端縁部と前記側面側垂直片の上端縁部とが同じ高さに形成されていることを特徴とする請求項２に記載の包装容器。
【請求項４】
前記底面板は、折り畳んだ状態の包装容器を箱状に展開したとき、前記各片が容器内部から下方に押し下げられることによって底面に展開される構造であり、前記側面側垂直片の下端部が、この展開された底面板を上方から押さえる構造であることを特徴とする請求項１ないし請求項３のいずれかに記載の包装容器。
【請求項５】
前記正面側垂直片及び背面側垂直片には、前記水平底板片がはまり込む切欠段差部が形成されており、この切欠段差部の上端縁によって前記水平底板片が支持されることにより、前記底面板との間に空隙が形成されることを特徴とする請求項１ないし請求項４のいずれかに記載の包装容器。
【請求項６】
前記一つの側面板と前記内面側壁板片との折り目部分には、所定幅の折り代が形成されているとともに、前記内面側壁板片と前記水平底板片との折り目部分の少なくとも一方の端部には、前記折り目を介して前記水平底板片側から前記内面側壁板片側に所定幅で突出する突起片が形成されるように切れ目が形成されており、
前記水平底板片を正面側垂直片及び背面側垂直片の前記切欠段差部の上端縁に当接支持させたとき、前記突起片が前記一つの側面板の内面に当接することで、前記一つの側面板と前記内面側壁板片との間に所定幅の空隙が形成されることを特徴とする請求項５に記載の包装容器。
【請求項７】
前記水平底板片は、前記切れ目の終点から前記正面板及び前記背面板と平行に折り目が形成されているとともに、ここの折り目を介して前記正面板側及び／または前記背面板側に形成された水平底板延長片は、前記水平底板片の中央部を前記切欠段差部の上端縁に当接支持させたとき、前記折り目部分から屈曲して上方に傾斜した状態でその延長先端部が前記正面板及び／または前記背面板に当接するように形成されていることを特徴とする請求項６に記載の包装容器。
【請求項８】
前記内面側壁板片、前記水平底板片、前記側面側垂直片、及び前記水平仕切板によって形成される収納空間と、前記正面板、前記背面板、前記左右の側面板、前記底面板、及び前記上面板によって形成される容器空間との間の５面または６面全てに空隙が形成されていることを特徴とする請求項７に記載の包装容器。
【請求項９】
前記収納空間に電子機器が収納されることを特徴とする請求項８に記載の包装容器。
【発明の詳細な説明】
【技術分野】
【０００１】
この発明は、携帯電話などの小型の電子機器の包装容器に関するものである。
【背景技術】
【０００２】
一般に、携帯電話などの包装容器１００は、図１３に示すように、主に正面板１１１、背面板１１２、左右の側面板１１３，１１４、底面板１１５及び上面板１１６から形成された容器本体１１０と、容器本体１１０の下部空間を左右に区画する仕切り部材１２０と、容器本体１１０の内部を上下に区画する仕切り板１３０と、から構成され、組み立てた容器本体１１０に、組み立てた仕切り部材１２０を配設し、仕切り部材１２０によって区画された各空間に携帯電話本体及び付属品をそれぞれ収容した後、仕切り板１３０を載せて上下に区画し、仕切り板１３０によって区画された上部空間に取扱説明書を収容し、その後、蓋体である上面板１１６によって上方開口部を閉鎖するようになっている。
【０００３】
なお、内部空間を仕切りによって左右に区画する包装容器は特許文献１に記載されている。また、内部を仕切り部材によって複数個に分割するとともに、仕切り部材を重ねて上下に分割する包装容器は特許文献２に記載されている。
【特許文献１】特開平５−１１２３５３号公報
【特許文献２】実開平３−４５２４号公報
【発明の開示】
【発明が解決しようとする課題】
【０００４】
ところで、上記した特許文献１及び特許文献２に記載の包装容器を構成する容器本体を容器メーカーにて組み立てるとともに、仕切り部材も組み立て、仕切り板とともに納品する場合、組み立てた容器本体に対応する容積を占有することになる。したがって、携帯電話が１日当たり数千個単位で生産されることを考慮すると、組み立てた包装容器を保管し、輸送する場合、また、納品された包装容器を保管するに際して、大きな空間を必要とするといった問題がある。
【０００５】
一方、容器本体を完全に組み立てることなく展開図の状態で納品する場合や、一部糊付けした半製品の状態で納品する場合、例えば、図１４に示すように、背面板及び右側面板の上に、正面板１１１及び左側面板１０４を重ねた状態で納品することが考えられる。しかし、この場合には、容器本体の組み立て工程が必要となるとともに、さらに、組み立てられた容器本体に、別に組み立てた仕切り部材１２０，１３０を組み込む必要があり、組み立てのための多くの作業時間が必要となるといった問題があった。この包装容器に収納される商品が携帯電話などの電子機器である場合には、輸送中の衝撃等から商品を保護する必要上、上記の仕切り部材１２０，１３０を省略することはできない。すなわち、仕切り部材１２０，１３０を緩衝部材として利用することが好ましい。
【０００６】
本発明はかかる問題点を解決すべく創案されたもので、その目的は、上記の仕切り部材を容器本体と一体として、容器本体の組み立て時に同時に組み立てることができるように構成することで、半製品の状態で納品された包装容器の組み立て作業時間の短縮を図るとともに、仕切り部材による緩衝効果を最大限に生かすことのできる構造とすることで、輸送時等の種々の衝撃に対して、収納される商品を十分に保護し得る包装容器を提供することにある。
【課題を解決するための手段】
【０００７】
本発明は、正面板と、背面板と、左右の側面板と、底面板と、蓋体となる上面板とを連設してなる折り畳み可能な包装容器において、前記底面板が、前記正面板の下端縁に折り目を介して連設された正面側底面片及びこの正面側底面片に折り目を介して延設された正面側垂直片と、前記背面板の下端縁に折り目を介して連設された背面側底面片及びこの背面側底面片に折り目を介して延設された背面側垂直片と、前記左右の側面板のそれぞれの下端縁に折り目を介して連設された側面側底面片とに４分割されているとともに、正面側底面片と一方の側面側底面片とが折り目を介して容器内部に折り畳み可能に接合され、背面側底面片と他方の側面側底面片とが折り目を介して容器内部に折り畳み可能に接合されてなり、前記一つの側面板の上端縁に、該側面板の内面に添設するまで折り曲げられる内面側壁板片、前記底面板と平行に配設される水平底板片、及び前記底面板と垂直に配設される側面側垂直片がそれぞれ折り目を介して順に連設されてなり、前記正面側垂直片と前記背面側垂直片とが容器内部の底面中央部において垂直に起立した状態で接触するとともに、前記側面側垂直片の略中央部が垂直に起立した状態で前記正面側垂直片及び背面側垂直片の一端縁部と直交する方向に接触することで、容器内部に複数の空間が形成されることを特徴とするものである。
【０００８】
本発明によれば、正面側垂直片と背面側垂直片とが容器内部の底面中央部において垂直に起立した状態で背中合わせに接触するとともに、側面側垂直片の略中央部が垂直に起立した状態で、背中合わせに接触している正面側垂直片及び背面側垂直片の一端縁部と直交する方向に接触している。すなわち、背中合わせに接触している正面側垂直片及び背面側垂直片と、側面側垂直片とが上方から見て略Ｔ字状に接触することで、容器内部に３つの空間が形成されている。
【０００９】
この場合、前記底面板は、折り畳んだ状態の包装容器を箱状に展開したとき、前記各片が容器内部から下方に押し下げられることによって底面に展開される構造であり、前記側面側垂直片の下端部が、この展開された底面板を上方から押さえる構造となっている。このように、側面側垂直片で底面板を上方から押さえる構造とすることで、底面板の上方への浮き上がりを防止することが可能となる。
【００１０】
すなわち、本発明の包装容器によれば、背中合わせに接触している正面側垂直片及び背面側垂直片と側面側垂直片とがＴ字状に接触する構造とすることで、３つの各片は互いに違う方向に作用する。具体的には、正面側垂直片と背面側垂直片とは背中合わせで互いを押し合う方向に作用し、側面側垂直片は、これら正面側垂直片と背面側垂直片の接線方向（互いに押し合う方向と直交する方向）へのずれを防止するとともに、正面側垂直片と背面側垂直片の浮き上がりを押さえる方向にも作用する。これにより、容器内部の複数の空間がしっかりと形成され、これら各片の相互作用によって、包装容器としての強度も十分に確保することが可能となっている。
【００１１】
また、本発明によれば、他の一つの側面板の上端縁に、該側面板の内面に添設するまで折り曲げられる折曲板と、前記底面板と平行に配設される水平仕切板とがそれぞれ折り目を介して順に連設されてなり、前記水平仕切板が、前記正面側垂直片及び背面側垂直片の上端縁部及び前記側面側垂直片の上端縁部に接触するまで容器内部に折り込まれることによって、容器内部に上下に仕切られた空間が形成されることを特徴とするものである。この場合、前記正面側垂直片及び背面側垂直片の上端縁部と前記側面側垂直片の上端縁部とが同じ高さに形成されている。これにより、容器内部を上下に仕切る水平仕切板を、正面側垂直片及び背面側垂直片と側面側垂直片との略Ｔ字構造によってしっかりと受け止めることができ、かつ、この水平仕切板によって、底面板の上方への浮き上がりをより確実に阻止することが可能となる。
【００１２】
また、本発明によれば、前記正面側垂直片及び背面側垂直片には、前記水平底板片がはまり込む切欠段差部が形成されており、この切欠段差部の上端縁によって前記水平底板片が支持されることにより、前記底面板との間に空隙が形成されるようになっている。また、前記一つの側面板と前記内面側壁板片との折り目部分には、所定幅の折り代が形成されているとともに、前記内面側壁板片と前記水平底板片との折り目部分の少なくとも一方の端部には、前記折り目を介して前記水平底板片側から前記内面側壁板片側に所定幅で突出する突起片が形成されるように切れ目が形成されており、前記水平底板片を正面側垂直片及び背面側垂直片の前記切欠段差部の上端縁に当接支持させたとき、前記突起片が前記一つの側面板の内面に当接することで、前記一つの側面板と前記内面側壁板片との間に所定幅の空隙が形成されるようになっている。さらに、前記水平底板片は、前記切れ目の終点から前記正面板及び前記背面板と平行に折り目が形成されているとともに、ここの折り目を介して前記正面板側及び／または前記背面板側に形成された水平底板延長片は、前記水平底板片の中央部を前記切欠段差部の上端縁に当接支持させたとき、前記折り目部分から屈曲して上方に傾斜した状態でその延長先端部が前記正面板及び／または前記背面板に当接するように形成されている。
【００１３】
すなわち、この包装容器を展開して組み立てたとき、前記内面側壁板片、前記水平底板片、前記側面側垂直片、及び前記水平仕切板によって形成される収納空間と、前記正面板、前記背面板、前記左右の側面板、前記底面板、及び前記上面板によって形成される容器空間との間の５面または６面全てに空隙が形成されるようになっている。従って、この収納空間に、携帯電話などの電子機器を収納すると、電子機器は、包装容器の各内面からは浮いた状態で収納空間内に保持されるので、輸送時等の種々の衝撃に対して電子機器を十分に保護することができる構造となっている。
【発明の効果】
【００１４】
本発明の包装容器によれば、背中合わせに接触している正面側垂直片及び背面側垂直片と側面側垂直片とがＴ字状に接触する構造とすることで、３つの各片は互いに違う方向に作用することになる。すなわち、正面側垂直片と背面側垂直片とは背中合わせで互いを押し合う方向に作用し、側面側垂直片は、これら正面側垂直片と背面側垂直片の接線方向（互いに押し合う方向と直交する方向）へのずれを防止するとともに、正面側垂直片と背面側垂直片の浮き上がりを押さえる方向にも作用する。これにより、容器内部の複数の空間がしっかりと形成され、これら各片の相互作用によって、包装容器としての強度も十分に確保することができる。
【００１５】
また、本発明の包装容器によれば、内面側壁板片、水平底板片、側面側垂直片、及び水平仕切板によって形成される収納空間と、正面板、背面板、左右の側面板、底面板、及び上面板によって形成される容器空間との間の５面または６面全てに空隙が形成される構造となっている。従って、この収納空間に、携帯電話などの電子機器を収納すると、電子機器は、包装容器の各内面からは浮いた状態で収納空間内に保持されるので、輸送時等の種々の衝撃に対して電子機器を十分に保護することができる。
【発明を実施するための最良の形態】
【００１６】
以下、本発明の実施の形態について図面を参照して説明する。
【００１７】
［実施形態１］
図１ないし図１０は、本発明の実施形態１に係る包装容器を示している。
【００１８】
この包装容器１は、段ボールを図１に示す展開形状に打ち抜いた１枚の容器本体２によって形成されており、この容器本体２を、所定部分を貼着することにより、半製品として偏平な一定形状に折り畳み可能に形成した後、輸送時には折り目に沿って偏平状に折り込み、例えば製造現場にて立体的な箱形状に展開することにより、包装容器として組み立てて使用するものである。ただし、図１に示す包装容器１の展開図は、容器内面側から見た展開図である。
【００１９】
この容器本体２は、背面板３と、右側面板４と、正面板５と、左側面板６とが、折り目ａ，ｂ，ｃを介して横方向に帯状に連設されており、左側面板６の右縁部に、折り目ｄを介して、背面板３に貼着するための糊代部６ａが連設されている。
【００２０】
また、背面板３の上縁部に、折り目ｅを介して蓋体となる上面板７が連設され、上面板７の上端縁に、折り目ｚを介して差し込み片８が連設されている。
【００２１】
また、右側面板４の上縁部に、所定幅の折り代部９を形成する２本の折り目ｆ，ｇを介して、該右側面板４の内面に添設するまで（１８０度）折り曲げられる内面側壁板片１０が連設され、内面側壁板片１０の上端縁に、折り目ｈを介して後述する底面板１８と平行に配設される水平底板片１１が連設され、水平底板片１１の上端縁に、折り目ｉを介して、後述する底面板１８と垂直に配設される側面側垂直片１２が連設されている。
【００２２】
また、内面側壁板片１０と水平底板片１１との折り目ｈの一方の端部（図１では、左側端部）には、この折り目ｈを介して水平底板片１１側から内面側壁板片１０側に所定幅で突出する突起片１１ａが形成されるように、切れ目ｊが形成されている。また、水平底板片１１は、折り目ｈの他方の端部（図１では、右側端部）である終点から、垂直方向に折り目ｋが形成されており、この折り目ｋを介して右側に水平底板延長片１１１が形成されている。さらに、側面側垂直片１２の起立片１２ａと水平底板延長片１１１との間は、折り目ｋの他方の端部である終点まで、折り目ｉに沿って切れ目ｌが形成されている。
【００２３】
この水平底板延長片１１１を含む水平底板片１１の横方向の長さは、右側面板４の横方向の長さより長くなるように形成されている。また、この水平底板延長片１１１の下端部には、折り目ｈを介して内面側壁板片１０側に所定幅だけ突出した突起片１１ｂが形成されており、この突起片１１ｂの下端辺と内面側壁板片１０の斜めに形成された傾斜辺との交点と、折り目ｈの終点との間に切れ目ｍが形成されている。
【００２４】
側面側垂直片１２と内面側壁板片１０との間の折り目ｉの中央部分には、側面側垂直片１２側から内面側壁板片１０側に向かって略Ｕ字状の起立片１２ａが形成されるように、略Ｕ字状の切れ目ｎが形成されている。また、側面側垂直片１２の上端縁（箱状に組み立てた状態では下端縁）１２ｄの略中央部には、後述する底面板１８に形成される切欠部と嵌め合わせるための切欠部１２ｃが形成されている。
【００２５】
また、正面板５の上端部の中央部には、半円弧状の切欠部５ａが形成されている。
【００２６】
また、左側面板６の上端縁に、所定幅の折り代部１４を形成する２本の折り目ｏ，ｐを介して、該左側面板６の内面に添設するまで（１８０度）折り曲げられる内面側壁板片１５が連設され、内面側壁板片１５の上端縁に、折り目ｑを介して後述する底面板１８と平行に配設される水平仕切片１６が連設されている。また、水平仕切板１６の左側縁部には、半円弧状の切欠部１６ａが形成されている。
【００２７】
底面板１８は、正面板５の下端縁に折り目ｒを介して連設された正面側底面片１８ａ、及びこの正面側底面片１８ａに折り目ｓを介して連設された正面側垂直片１８ａ１と、背面板３の下端縁に折り目ｔを介して連設された背面側底面片１８ｂ及びこの背面側底面片１８ｂに折り目ｕを介して連設された背面側垂直片１８ｂ１と、左側面板６の下端縁に折り目ｖを介して連設された左側面側底面片１８ｃと、右側面板４の下端縁に折り目ｗを介して連設された右側面側底面片１８ｄとに４分割されている。
【００２８】
また、正面側底板片１８ａ１には、側面側垂直片１２がはまり込むＬ字形状の切欠段差部１８ａ２が形成されており、この切欠段差部１８ａ２の下端縁（箱状に組み立てた状態では上端縁）の角隅部に、側面側垂直片１２に形成された切欠部１２ｃが嵌まり込む切欠部１８ａ３が形成されている。同様に、背面側底板片１８ｂ１には、側面側垂直片１２がはまり込むＬ字形状の切欠段差部１８ｂ２が形成されており、この切欠段差部１８ｂ２の下端縁（箱状に組み立てた状態では上端縁）の角隅部に、側面側垂直片１２に形成された切欠部１２ｃが嵌まり込む切欠部１８ｂ３が形成されている。
【００２９】
また、左側面側底面片１８ｃには、正面板５の下端縁と左側面板６の下端縁との交点から４５度の角度で形成された折り目ｘを介して、正面側底面片１８ａに貼着するための糊代部１８ｃ１が形成されている。また、左側面側底面片１８ｃの糊代部１８ｃ１とは反対側の側縁部１８ｃ２は、後述する底面板１８を折り畳むときに、隣接する背面側底面片１８ｂとの衝突を避けるため、折り目ｖに対して４５度より大きい傾斜角度（例えば、６０度）で傾斜している。
【００３０】
また、右側面側底面片１８ｄには、背面板３の下端縁と右側面板４の下端縁との交点から４５度の角度で形成された折り目ｙを介して、背面側底面片１８ｂに貼着するための糊代部１８ｂ１が形成されている。また、右側面側底面片１８ｄの糊代部１８ｄ１とは反対側の側縁部１８ｄ２は、後述する底面板１８を折り畳むときに、隣接する正面側底面片１８ａとの衝突を避けるため、折り目ｗに対して４５度より大きい傾斜角度（例えば、６０度）で傾斜している。
【００３１】
次に、このように構成された包装容器１の組み立て要領について説明する。
【００３２】
まず、図１に示す展開図に従って段ボールを打ち抜いた後、背面板３、右側面板４、正面板５、左側面板６をそれぞれ折り目ａ，ｂ，ｃに沿って内面側が対向するように９０度折り返し、さらに左側面板６の糊代部６ａを折り目ｄに沿って内面側に９０度折り返して、この糊代部６ａの表面に接着剤を塗布し、背面板３の内面に貼着する。図２はこの状態を示している。
【００３３】
次いで、正面側底板片１８ａを折り目ｒを介して内面側に９０度折り込むとともに、正面側垂直片１８ａ１を折り目ｓを介してさらに内面側に９０度折り込む。同様に、背面側底板片１８ｂを折り目ｔを介して内面側に９０度折り込むとともに、背面側垂直片１８ｂ１を折り目ｕを介してさらに内面側に９０度折り込む。これにより、図３に示すように、正面側垂直片１８ａ１と背面側垂直片１８ｂ１とが背中合わせの状態で垂直に起立することになる。
【００３４】
この後、左側面側底板片１８ｃの糊代部１８ｃ１の内面に接着剤を塗布し、正面側底面片１８ａの表面に貼着する。同様に、右側面側底板片１８ｄの糊代部１８ｄ１の内面に接着剤を塗布し、背面側底面片１８ｂの表面に貼着する。図４は、この状態での底面図を示している。この状態が、本実施形態１の包装容器1の半製品状態である。なお、図4では、上方が正面側である。
【００３５】
次いで、この半製品状態から、例えば輸送等のために包装容器1を折り畳む場合には、図4に示す底面図の各折り目ｘ,ｙを、容器内部の方向に谷折りする。これにより、略９０度に折り曲げられていた折り目ａ，ｃがさらに折り曲げられて、２つ折りまで折り畳まれるとともに、略９０度に折り曲げられていた折り目ｂ，ｄは、開く方向に略直線状態まで展開される。その結果、背面板３の内面と背面側底面片１８ｂの内面とが当接し、右側面板４の内面と右側面側底板片１８ｃの内面とが当接し、正面板５の内面に正面側底面片１８ａの内面が当接し、左側面板６の内面に左側面側底板片１８ｃの内面が当接し、かつ、正面側底板片１８ａの表面と左側面側底板片１８ｃの表面とが当接し、背面側底板片１８ｂの表面と右側面側底板片１８ｄの表面とが当接することで、包装容器１は図５に示すように偏平に折り畳まれることになる。
【００３６】
一方、図５に示す折り畳み状態から、包装容器１として組み立てるには、まず、上記の折り畳み方向とは反対方向に押し広げて（すなわち、２つ折りまで折り畳まれていた折り目ａ，ｃを両側から挟むように押し込むことによって）、偏平状態の背面板３、右側面板４、正面板５、及び左側面板６を矩形の箱体形状に展開する（図３参照）。このとき、上記したように、正面側垂直片１８ａ１と背面側垂直片１８ｂ１とが背中合わせの状態で垂直に起立して、容器内部の下部空間を前後２つの空間に仕切ることになる。
【００３７】
次いで、図３に示す状態から、右側面板４の上端縁に形成された内面側壁板片１０を、所定幅の折り代部９を形成する２本の折り目ｆ，ｇに沿ってそれぞれ略９０度山折りして、右側面板４の内面に対向するまで折り曲げるとともに、水平底板片１１を折り目ｈに沿って略９０度谷折りして、正面側垂直片１８ａ１及び背面側垂直片１８ｂ１の切欠段差部１８ａ２，１８ｂ２の上端縁に内面（下面）が当接するまで折り曲げる（図６及び図７参照）。
【００３８】
このとき、側面側垂直片１２は、折り目ｉに沿って予め９０度より大きめに谷折りしておくことにより、水平底板片１１に対してほぼ垂直に起立した状態としておく。これにより、水平底板片１１を正面側垂直片１８ａ１及び背面側垂直片１８ｂ１の切欠段差部１８ａ２，１８ｂ２の上端縁に当接支持させるまで折り曲げるとき、側面側垂直片１２の表面中央部が、正面側垂直片１８ａ１及び背面側垂直片１８ｂ１の一側縁部１８ａ４，１８ｂ４に接触した状態で下方に摺動し、最後には、正面側垂直片１８ａ１及び背面側垂直片１８ｂ１の切欠段差部１８ａ２，１８ｂ２に形成された切欠部１８ａ３，１８ｂ３に、側面側垂直片１２の下端縁１２ｄに形成された切欠部１２ｃが嵌まり合うことになる。この状態で、側面側垂直片１２の下端縁１２ｄは、正面側底板片１８ａ及び背面側底板片１８ｂの内面に当接するようになっている。
【００３９】
すなわち、背中合わせに接触している正面側垂直片１８ａ及び背面側垂直片１８ｂと、側面側垂直片１２とが上方から見て略Ｔ字状に接触することで、容器内部に３つの空間を形成している。この場合、底面板１８は、折り畳んだ状態の包装容器１を箱状に展開したとき、背面板１８の各片１８ａ〜１８ｄが容器内部から下方に押し下げられることによって底面に展開される構造であり、側面側垂直片１２の下端部１２ｄが、この展開された底面板１８を上方から押さえる構造となっている。このように、側面側垂直片１２で底面板１８を上方から押さえる構造とすることで、包装容器１として使用するときの、底面板１８の上方への浮き上がりを防止することが可能となっている。
【００４０】
このように、背中合わせに接触している正面側垂直片１８ａ及び背面側垂直片１８ｂと側面側垂直片１２とがＴ字状に接触する構造とすることで、３つの各片１８ａ，１８ｂ，１２は互いに違う方向に押すように作用する。具体的には、正面側垂直片１８ａと背面側垂直片１８ｂとは背中合わせで互いを押し合う方向に作用し、側面側垂直片１２は、これら正面側垂直片１８ａと背面側垂直片１９ｂの接線方向（互いに押し合う方向と直交する方向）へのずれを防止するとともに、正面側垂直片１８ａと背面側垂直片１８ｂの浮き上がりを押さえる方向にも作用する。これにより、容器内部の３つの空間がしっかりと形成され、これら各片１８ａ，１８ｂ，１２の相互作用によって、包装容器１としての強度も十分に確保することが可能となる。
【００４１】
また、水平底板延長片１１１を含む水平底板片１１の横方向の長さは、右側面板４の横方向の長さより長くなるように形成されている（図３参照）。従って、水平底板片１１を折り目ｈに沿って正面側垂直片１８ａ１及び背面側垂直片１８ｂ１の切欠段差部１８ａ２，１８ｂ２の上端縁に当接するまで折り曲げたとき、水平底板延長片１１１の先端部１１１ａが正面板５の内面に当接して、折り目ｋから谷折りされ、上方に傾斜した状態で支持される（図６参照）。
【００４２】
ここで、内面側壁板片１０を、所定幅の折り代部９を形成する２本の折り目ｆ，ｇに沿ってそれぞれ山折りして、右側面板４の内面に対向するまで折り曲げたとき、水平底板片１１及び水平底板延長片１１１に形成した所定幅の突起片１１ａ，１１ｂが右側面板４の内面に当接する。すなわち、内面側壁板片１０の上部は折り代部９によって右側面板４との間に所定幅が確保されており、内面側壁板片１０の下部は突起片１１ａ，１１ｂによって所定幅が確保されている。これにより、右側面板４と内面側壁板片１０との間に所定幅の空隙が確実に形成されることになる。また、水平底板片１１は、正面側垂直片１８ａ１及び背面側垂直片１８ｂ１の切欠段差部１８ａ２，１８ｂ２の上端縁に当接支持されるので、水平底板片１１と底面板１８との間にも、切欠段差部１８ａ２，１８ｂ２の高さ分の空隙が確実に成形されることになる。さらに、水平底板延長片１１１も、正面板５に対して斜めに傾斜して支持されることから、この水平底板延長片１１１と正面板５との間にも、空隙が形成されることになる。
【００４３】
この状態において、内面側壁板片１０、水平底板片１１、及び側面側垂直片１２によって形成される空間に電子機器（本実施形態１では、携帯電話）を収納するとともに、側面側垂直片１２と正面側垂直片１８ａとで形成された空間、及び側面側垂直片１２と背面側垂直片１９ｂとで形成された空間にそれぞれ、ＡＣアダプタやその他の付属品を収納する。
【００４４】
次いで、図６に示す状態から、左側面板６の上端縁に形成された内面側壁板片１５を、所定幅の折り代部１４を形成する２本の折り目ｏ，ｐに沿ってそれぞれ略９０度山折りして、左側面板６の内面に対向するまで折り曲げるとともに、水平仕切板１６を折り目ｑに沿って略９０度谷折りして、正面側垂直片１８ａ１及び背面側垂直片１８ｂ１の上端縁、及び側面側垂直片１２の上端縁に接触するまで容器内部に折り込む（図８及び図９参照）。これにより、容器内部に上下に仕切られた４つ目の空間が形成される。
【００４５】
この場合、正面側垂直片１８ａ及び背面側垂直片１８ｂの上端縁部と側面側垂直片１２の上端縁部とが同じ高さに形成されている。これにより、水平仕切板１６を、正面側垂直片１８ａ及び背面側垂直片１８ｂと、側面側垂直片１２との略Ｔ字構造によってしっかりと受け止めることができ、かつ、この水平仕切板１６によって、底面板１８の上方への浮き上がりを確実に阻止することが可能となる。この４つ目の空間には、説明書などが収納される。
【００４６】
次いで、図８及び図９に示す状態から、蓋体である上面板７を折り目ｅに沿って山折りし、さらに、差し込み片８を折り目ｚに沿って山折りし、この差し込み片８を正面板５の内面側に差し込むことによって、包装容器１の組み立て（すなわち、電子部品の梱包）を完了する（図１０参照）。
【００４７】
この梱包状態においては、内面側壁板片１０、水平底板片１１、水平底板延長片１１１、側面側垂直片１２、及び水平仕切板１６によって形成される収納空間と、正面板５、右側面板４、左側面板６、底面板１８、及び上面板７によって形成される容器空間との間の５面全てに空隙が形成される。従って、この収納空間に、携帯電話などの電子機器を収納すると、電子機器は、背面板３を除く包装容器の各内面から浮いた状態で収納空間内に保持されるので、輸送時等の種々の衝撃に対して電子機器を十分に保護することができる構造となる。
【００４８】
なお、上記実施形態１では、包装容器１の背面板３側については、電子機器の収納空間が２重構造とはなっていない。しかし、輸送時等の種々の衝撃を考慮すれば、この部分も２重構造にすることが好ましい。
【００４９】
［実施形態２］
図１１は、背面板３側にも空隙を設けた構造の実施形態２に係る包装容器の展開図である。
【００５０】
上記実施形態１の展開図と最も異なるところは、本実施形態２に係る包装容器１を１枚の段ボールから打ち抜いて形成するために、展開図の状態で背面板３と右側面板４とを切り離した構成とした点である。つまり、上記実施形態１では右側面板４の左側に連設されていた背面板３を、左側面板６の右側に連設するとともに、この背面板３の右側に折り目ａ１を介して糊代部３ａを設けた構成としたものである。
【００５１】
また、本実施形態２では、背面板３側にも空隙を設けるため、水平底板片１１の形状が上記実施形態１とは若干異なっている。すなわち、水平底板片１１は、折り目ｈの一方の端部（図１１では、左側端部）である終点から、垂直方向に折り目ｋ１が形成されており、この折り目ｋ１を介して左側に水平底板延長片１１２が形成されている。また、折り目ｈの一方の端部（図１１では、右側端部）には、この折り目ｈを介して水平底板延長片１１２側から内面側壁板片１０側に所定幅で突出する突起片１１２ａが形成されるように、切れ目ｊ１が形成されている。そして、これら水平底板延長片１１１，１１２を含む水平底板片１１の横方向の長さは、右側面板４の横方向の長さより長くなるように形成されている。つまり、各水平底板延長片１１１，１１２の先端部が右側板面４の左右両端部からそれぞれ突出するように形成されている。
【００５２】
この他の構成は、上記実施形態１の展開図の構成と同じである。従って、同部材には同符号を付している。
【００５３】
このような構成の包装容器１をまず半製品状態（実施形態１では図２の状態）に組み立て、さらに製造工場等で実施形態１の図６に示す状態まで組み立てると、本実施形態２の包装容器１では、図１２に示す組み立て状態となる。つまり、水平底板片１１を折り目ｈに沿って正面側垂直片１８ａ１及び背面側垂直片１８ｂ１の各切欠段差部１８ａ２，１８ｂ２の上端縁に当接するまで折り曲げたとき、一方の水平底板延長片１１１の先端部１１１ａが正面板５の内面に当接して、折り目ｋから谷折りされ、上方に傾斜した状態で支持されるとともに、他方の水平底板延長片１１２の先端部１１２ａが背面板３の内面に当接して、折り目ｋ１から谷折りされ、上方に傾斜した状態で支持される。これにより、水平底板延長片１１２と背面板３との間にも、空隙が形成されることになる。
【００５４】
すなわち、この梱包状態においては、内面側壁板片１０、水平底板片１１、前後の水平底板延長片１１１，１１２、側面側垂直片１２、及び水平仕切板１６によって形成される収納空間と、背面板３、正面板５、右側面板４、左側面板６、底面板１８、及び上面板７によって形成される容器空間との間の６面全てに空隙が形成される。従って、この収納空間に、携帯電話などの電子機器を収納すると、電子機器は、包装容器の各内面から浮いた状態で収納空間内に保持されるので、輸送時等の種々の衝撃に対して電子機器を十分に保護することができる構造となる。
【００５５】
なお、上記実施形態１及び実施形態２の包装容器の組み立て工程を見ても分かる通り、本発明の包装容器では、半製品状態の包装容器を組み立てるとき、正面板を組み立て作業者の正面に向けて配置した状態で、各部材の折り込み作業、及び電子部品やその付属品の梱包作業を全て行うことができる。つまり、組み立て作業時に包装容器を水平方向に回転させたりする必要がないため、組み立て作業時間を短縮することが可能となっている。また、複数の空間を形成するのに、例えば従来技術の仕切り部材や仕切り板といった別部材を組み付ける必要がなく、偏平状に折り畳まれて納品された包装容器をまず半製品状態に展開し、そこから連設する各部材を容器内部に順次折り込んでいくだけの作業でよいので、作業性も向上するものである。また、従来の包装容器では、別部材が足りなくなると、包装容器を組み立てることができなくなるが、本発明の包装容器では、このような問題も発生しない。
【図面の簡単な説明】
【００５６】
【図１】本発明の実施形態１に係る包装容器の展開図である。
【図２】図１に示す展開状態の包装容器を半製品状態まで組み立てた状態を示す斜視図である。
【図３】図２の包装容器の組み立て工程を示す説明図である。
【図４】図３に示す状態の包装容器の底面図である。
【図５】図２に示す半製品状態の包装容器を折り畳んだ状態を示す説明図であり、（ａ）は背面図、（ｂ）は側面図、（ｃ）は正面図である。
【図６】図２の包装容器の組み立て工程を示す説明図である。
【図７】図２の包装容器の組み立て工程を示す一部拡大断面図である。
【図８】図２の包装容器の組み立て工程を示す説明図である。
【図９】図２の包装容器の組み立て工程を示す斜視図である。
【図１０】図２の包装容器の組み立て完了状態を示す斜視図である。
【図１１】本発明の実施形態２に係る包装容器の展開図である。
【図１２】本実施形態２の包装容器の組み立て工程を示す説明図である。
【図１３】従来の包装容器を説明する分解斜視図である。
【図１４】図１３の包装本体を糊付けした状態を示す平面図である。
【符号の説明】
【００５７】
１  包装容器
２  容器本体
３  背面板
４  右側面板
５  正面板
６  左側面板
７  上面板
８  差し込み片
９  折り代部
１０  内面側壁板片
１１  水平底板片
１１１，１１２  水平底板延長片
１２  側面側垂直片
１４  折り代部
１５  内面側壁板片
１６  水平仕切板
１８  底面板
１８ａ  正面側底板片
１８ａ１  正面側垂直片
１８ａ２  切欠段差部
１８ａ３  切欠部
１８ｂ  背面側底板片
１８ａ１  背面側垂直片
１８ａ２  切欠段差部
１８ａ３  切欠部
１８ｃ  左側面側底板片
１８ｃ１  糊代部
１８ｄ  右側面側底板片
１８ｄ１  糊代部
【図１】
2006168742.tif 000003
【図２】
2006168742.tif 000004
【図３】
2006168742.tif 000005
【図４】
2006168742.tif 000006
【図５】
2006168742.tif 000007
【図６】
2006168742.tif 000008
【図７】
2006168742.tif 000009
【図８】
2006168742.tif 000010
【図９】
2006168742.tif 000011
【図１０】
2006168742.tif 000012
【図１１】
2006168742.tif 000013
【図１２】
2006168742.tif 000014
【図１３】
2006168742.tif 000015
【図１４】
2006168742.tif 000016